(57)【要約】      （修正有）【課題】組付時には波状六角レンチにて充分な締結が行え、分解修理時には波状六角レンチは勿論、通常の六角レンチなどを幅広く用いることができる締付金具を提供する。【課題手段】頭部２とねじ部を有する軸部とからなり、頭部２の中心部に、六角形状の係合穴部５ａとその穴部５ａにおける各角部にその角部よりも外側に膨らむ円弧状切欠部５ｂとが連設されてなる工具挿入穴５を形成する。【選択図】図１
0003149822.tif 000002
【実用新案登録請求の範囲】
【請求項１】
頭部２とねじ部３を有する軸部４とからなり、頭部２の中心部に、六角形状の係合穴部５ａとその穴部５ａにおける各角部にその角部よりも外側に膨らむ円弧状切欠部５ｂ…５ｂとが連設されてなる工具挿入穴５が形成されていることを特徴とする締結金具。
【請求項２】
工具挿入穴５の底部に、プラス溝５ｃ又はマイナス溝５ｄのいずれか一方或いは両方が形成されていることを特徴とする請求項１記載の締結金具。
【考案の詳細な説明】
【技術分野】
【０００１】  本考案は、主としてボルト、プラグ、ソケットスクリューなどの締結金具に関する。
【背景技術】
【０００２】  従来、例えば自動車用の締結ボルトとしては、通常、頭部と外周にねじ部を有する軸部とからなり、頭部の中心部に六角形状の係合穴部を形成してなる六角ソケットタイプのものが用いられ、通常広く使用されている六角レンチを係合穴部に入れて、該六角レンチにより所定の締付軸力で締結ボルトを締め付けるようにしている。【０００３】  また、締結力を高める締結ボルトとしては、円筒頭部の中心部に円形曲線が連続する波状六角穴部を形成してなるものも知られており、その使用時、波状六角穴と同じ形状で該穴に符合する特殊な形状の波状六角レンチを波状六角穴部に入れて、該波状六角レンチにより所定の締付軸力で締結ボルトを締め付けるようにしている。
【考案の開示】
【考案が解決しようとする課題】
【０００４】  ところで、上記した円形曲線が連続する波状六角穴部を形成してなる締結ボルトを用いたときには、完全にトルクを伝達し、かつ確実に締結を行うことができる。しかし、波状六角レンチが特殊形状であるため、この波状六角レンチがない場合、分解修理しようとしても対応ができず手の施しようがないといった問題を有していた。このことから通常広く使用されかつ手に入りやすい六角レンチでの分解修理が可能な六角ソケットタイプの締結ボルトが多く採用されているのが現状である。【０００５】  そこで本考案は、組付時には波状六角レンチにて充分な締結が行え、分解修理時には波状六角レンチは勿論、通常の六角レンチなどを幅広く用いて緩めたり或いは締め付けたりすることができる締結金具の提供を課題とする。
【課題を解決するための手段】
【０００６】  上記問題を解決するため、本願の請求項１記載の考案は、頭部２とねじ部３を有する軸部４とからなり、頭部２の中心部に、六角形状の係合穴部５ａとその穴部５ａにおける各角部にその角部よりも外側に膨らむ円弧状切欠部５ｂ…５ｂとが連設されてなる工具挿入穴５が形成されていることを特徴とする。【０００７】  また、本願の請求項２記載の考案は、請求項１記載の構成における工具挿入穴５の底部に、プラス溝５ｃ又はマイナス溝５ｄのいずれか一方或いは両方が形成されていることを特徴とする。
【考案の効果】
【０００８】  本考案によれば、上記した構成により工具挿入穴５部分に六角ソケットレンチや波状ソケットレンチなど幅広く用いることができる。これにより、組付時には波状六角レンチにて充分な締結が行え、その締付軸力の管理を容易に行うことができ、また、分解修理時には、たとえ波状六角レンチがなくとも通常広く使用されている六角レンチを用いて緩めたり或いは締め付けたりすることができる。その上、六角ボルトに比べて軽量化を図ることができる。【０００９】  また、工具挿入穴５の底部に、プラス溝５ｃ又はマイナス溝５ｄのいずれか一方或いは両方を形成するようにすれば、工具挿入穴５部分に六角ソケットレンチや波状ソケットレンチに加えて、マイナスレンチやプラスレンチなどさらに幅広く用いることができるのでこのましい。
【考案を実施するための形態】
【００１０】  以下、本考案の実施の形態を図に基づいて説明する。
【００１１】  図１は、本考案に係る締結ボルト（締結金具）を示し、該締結ボルト１は、大径筒状の頭部２と、外周にねじ部３を有する小径の軸部４とからなり、頭部２の中心部に、六角形状の係合穴部５ａとその穴部５ａにおける各角部にその角部よりも外側に膨らむ円弧状切欠部５ｂ…５ｂとが連設されてなる工具挿入穴５が形成されている。
【００１２】  次に、以上のように構成された締結ボルト１の作用について説明する。
【００１３】  まず、組付時には、図４に示すように工具挿入穴５における円弧状切欠部５ｂ…５ｂ部分に波状六角レンチＡを差し込んで締結ボルト１を締め付けることにより確実な締結が行える。また、分解修理時には、上記波状六角レンチＡによる締結ボルト１の取り外しは勿論、たとえ波状六角レンチＡがなくとも図５に示すように通常の広く用いられている六角レンチＢを工具挿入穴５における六角形状の係合穴部５ａに差し込んで締結ボルト１を緩めるたり或いは締め付けることにより分解修理を行うことができる。このように、本考案の締結ボルト１によれば、工具挿入穴５部分に波状ソケットレンチＡや六角ソケットレンチＢなど幅広く用いることができて、締付軸力の管理を容易に行うことができる。その上、六角ボルトに比べて軽量化を図ることができる。
【００１４】  また、図６、７は、上記した締結ボルト１の工具挿入穴５における底部に、プラス溝５ｃを形成したものである。このように構成すれば、工具挿入穴５部分に波状ソケットレンチＡや六角ソケットレンチＢに加えて、プラスレンチ（図示せず）によっても使用することができる。なお、このプラス溝５ｃに代えてマイナス溝を形成してもよい。その場合、プラスレンチに代えてマイナスレンチ（図示せず）により使用することができる。
【００１５】  さらに、図８、９は、上記した締結ボルト１の工具挿入穴５における底部に、プラス溝５ｃとマイナス溝５ｄとを一緒に形成したものである。このように構成すれば、工具挿入穴５部分に波状ソケットレンチや六角ソケットレンチに加えて、プラスレンチやマイナスレンチ（いずれも図示せず）などよっても幅広く使用することができる。
【００１６】  なお、上記した実施形態では、締結金具として大径頭部２付きの締結ボルト１に適用したものついて説明したけれども、何ら斯かる締結ボルト１に限定されるものではなく、例えばプラグやソケットスクリューなど各種形状の締結金具にも幅広く適用できるものである。
【図面の簡単な説明】
【００１７】
【図１】  本考案に係る締結ボルトの平面図である。
【図２】  同締結ボルトの正面図である。
【図３】  同締結ボルトの縦断面図である。
【図４】  同締結ボルトの使用状態説明図である。
【図５】  同締結ボルトの別の使用状態説明図である。
【図６】  別の締結ボルトの正面図である。
【図７】  同締結ボルトの縦断面図である。
【図８】  さらに別の締結ボルトの正面図である。
【図９】  同締結ボルトの縦断面図である。
【符号の説明】
【００１８】  １          締結ボルト
２          頭部
３          ねじ部
４          軸部
５          工具挿入穴
５ａ        係合穴部
５ｂ        円弧状切欠部
５ｃ        プラス溝
５ｄ        マイナス溝
【図１】
0003149822.tif 000003
【図２】
0003149822.tif 000004
【図３】
0003149822.tif 000005
【図４】
0003149822.tif 000006
【図５】
0003149822.tif 000007
【図６】
0003149822.tif 000008
【図７】
0003149822.tif 000009
【図８】
0003149822.tif 000010
【図９】
0003149822.tif 000011